(57)【要約】【課題】  取付けが容易で取付け作業性もよく、また、長期にわたり取付け固定の保持が確実で取付け強度が高いクリップの取付け構造を提供することができる。【解決手段】先端に開口部４ａ１を有する挟着片４ａと該挟着片４ａの基部に挟着片支持部４ｂを有し、且つ該挟着片支持部４ｂの後端が一方の部材１に一体又は接合可能に設けられたクリップ４と、該クリップ４の挟着片４ａによって挟着される挟着用軸体５ａと該挟着用軸体５ａの周面を中空に浮かせ保持するように該挟着用軸体５ａを支持する軸体支持部５ｂからなる他方の部材の取付部５より構成され、該開口部４ａ１を該挟着用軸体５ａに押圧して該挟着用軸体５ａを挟着片４ａに挟着するクリップ４の取付け構造であって、  該軸体支持部５ｂを該挟着用軸体５ａの軸方向端面に設け、該軸体支持部５ｂが挟着用軸体５ａの断面形状よりも拡径に突出して形成され、且つ、該挟着用軸体５ａにクリップ４を挟着した状態で該挟着片４ａの側面に対向する面を該挟着片４ａの両側面に平行に形成したクリップ４の取付け構造。【選択図】      図１
2006009977.tif 000002
【特許請求の範囲】
【請求項１】
先端に開口部を有する挟着片と該挟着片の基部に挟着片支持部を有し、且つ該挟着片支持部の後端が一方の部材に一体又は接合可能に設けられたクリップと、該クリップの挟着片によって挟着される挟着用軸体と該挟着用軸体の周面を中空に浮かせ保持するように該挟着用軸体を支持する軸体支持部からなる他方の部材の取付部より構成され、該開口部を該挟着用軸体に押圧して該挟着用軸体を該挟着片に挟着するクリップの取付け構造であって、
該軸体支持部を該挟着用軸体の軸方向端面に設け、該軸体支持部が挟着用軸体の断面形状よりも拡径に突出して形成され、且つ、該挟着用軸体にクリップを挟着した状態で該挟着片の側面に対向する面を該挟着片の両側面に平行に形成されたクリップの取付け構造。
【請求項２】
請求項１のクリップの取付け構造において、該挟着片の側面の平行部であって、該挟着片の先端が基本形状に閉塞した状態で該開口部より内方に向うにつれ閉塞する位置へ、該軸体支持部に接するＲ状突起部を設けたクリップの取付け構造。
【請求項３】
先端に開口部を有する挟着片と該挟着片の基部に挟着片支持部を有し、且つ該挟着片支持部の後端が一方の部材に一体又は接合可能に設けられたクリップと、該クリップの挟着片によって挟着される挟着用軸体と該挟着用軸体の周面を中空に浮かせ保持するように該挟着用軸体を支持する軸体支持部からなる他方の部材の取付部より構成され、該開口部を該挟着用軸体に押圧して該挟着用軸体を該挟着片に挟着するクリップの取付け構造であって、
該挟着片の先端より内方に延びる溝部を該挟着片に設け、該挟着用軸体にクリップを挟着した状態で該挟着片の該溝部に係合し、且つ、該挟着用軸体の周面より突出形成された突状プレート部を設けたクリップの取付け構造。
【請求項４】
請求項３のクリップの取付け構造において、該軸体支持部を該挟着用軸体の軸方向端面に設け、該軸体支持部が挟着用軸体の断面形状よりも拡径に突出して形成され、且つ、該挟着用軸体にクリップを挟着した状態で該挟着片の側面に対向する面を該挟着片の側面に平行に形成されたクリップの取付け構造。
【請求項５】
先端に開口部を有する挟着片と該挟着片の基部に挟着片支持部を有し、且つ該挟着片支持部の後端が一方の部材に一体又は接合可能に設けられたクリップと、該クリップの挟着片によって挟着される挟着用軸体と該挟着用軸体の周面を中空に浮かせ保持するように該挟着用軸体を支持する軸体支持部からなる他方の部材の取付部より構成され、該開口部を該挟着用軸体に押圧して該挟着用軸体を該挟着片に挟着するクリップの取付け構造であって、
該開口部の両側に位置する一方の挟着片と他方の挟着片の剛性が異なるように両方の挟着片の形状を異ならせて形成したクリップの取付け構造。
【請求項６】
請求項５のクリップの取付け構造において、該軸体支持部を該挟着用軸体の軸方向端面に設け、該軸体支持部が挟着用軸体の断面形状よりも拡径に突出して形成され、且つ、該挟着用軸体にクリップを挟着した状態で該挟着片の側面に対向する面を該挟着片の側面に平行に形成されたクリップの取付け構造。
【発明の詳細な説明】
【技術分野】
【０００１】
本発明は、クリップの取付け構造に関し、特に２部材を取付け固定するために使用するクリップの取付け構造に関するものである。
【背景技術】
【０００２】
従来のクリップの取付け構造としては、図６に示すような２部材（一方の部材１０１，他方の部材１０２）を取付け固定するために使用するクリップ１０４の取付け構造において、先端に開口部１０４ａ１を有する挟着片１０４ａとこの挟着片１０４ａの基部に設けられた挟着片支持部を有し、且つ一方の部材１０１に一体形成されたクリップ１０４と、クリップ１０４の挟着片１０４ａに挟着する紡錘形状または円柱形状の挟着用軸体１０５ａとその挟着用軸体１０５ａの中央部を支持する軸体支持部１０５ｂとからなる他方の部材１０２に形成された取付け部１０５で構成され、挟着片１０４ａの開口部１０４ａ１を挟着用軸体１０５ａに押圧して挟着するものであった。（例えば、特許文献１参照）
【特許文献１】実開平６−４７７１７号公報（実施例、図面）
【発明の開示】
【発明が解決しようとする課題】
【０００３】
このように、従来の２部材（一方の部材１０１，他方の部材１０２）を取付け固定するために使用するクリップ１０４の取付け構造は、挟着用軸体１０５ａにクリップ１０４を挟着するためクリップ１０４の挟着片１０４ａの開口部１０４ａ１を押圧し、その押圧力によって挟着片１０４ａを弾性変形させて挟着するものであったので、適正な押圧の仕方（力や方向）で実施しなければ、所望の位置よりもずれて挟着されたり、場合によっては、押圧時にそのまま挟着用軸体１０５ａの端面より脱落し挟着できないなど取付けが容易なものではなかった。
また、取付け後もクリップ１０４に生じる外力によって挟着用軸体１０５ａの端面より脱落し易く、取付け強度も低いものであった。
【０００４】
したがって、本発明は、取付けが容易で取付け作業性もよく、また、長期にわたり取付け固定の保持が確実で取付け強度も高いクリップの取付け構造を提供することを課題とするものである。
【課題を解決するための手段】
【０００５】
本発明は、上記の課題を解決するためのものとして、請求項１に係る発明は、先端に開口部を有する挟着片と該挟着片の基部に挟着片支持部を有し、且つ該挟着片支持部の後端が一方の部材に一体又は接合可能に設けられたクリップと、該クリップの挟着片によって挟着される挟着用軸体と該挟着用軸体の周面を中空に浮かせ保持するように該挟着用軸体を支持する軸体支持部からなる他方の部材の取付部より構成され、該開口部を該挟着用軸体に押圧して該挟着用軸体を該挟着片に挟着するクリップの取付け構造であって、該軸体支持部を該挟着用軸体の軸方向端面に設け、該軸体支持部が挟着用軸体の断面形状よりも拡径に突出して形成され、且つ、該挟着用軸体にクリップを挟着した状態で該挟着片の両側面に対向する面を該挟着片の側面に平行に形成されたクリップの取付け構造を提供する。
【０００６】
請求項２に係る発明は、請求項１のクリップの取付け構造において、該挟着片の側面の平行部であって、該挟着片の先端が基本形状に閉塞した状態で該開口部より内方に向うにつれ閉塞する位置へ、該軸体支持部に接するＲ状突起部を設けたクリップの取付け構造を提供する。
【０００７】
請求項３に係る発明は、先端に開口部を有する挟着片と該挟着片の基部に挟着片支持部を有し、且つ該挟着片支持部の後端が一方の部材に一体又は接合可能に設けられたクリップと、該クリップの挟着片によって挟着される挟着用軸体と該挟着用軸体の周面を中空に浮かせ保持するように該挟着用軸体を支持する軸体支持部からなる他方の部材の取付部より構成され、該開口部を該挟着用軸体に押圧して該挟着用軸体を該挟着片に挟着するクリップの取付け構造であって、該挟着片の先端より内方に延びる溝部を該挟着片に設け、該挟着用軸体にクリップを挟着した状態で該挟着片の該溝部に係合し、且つ、該挟着用軸体の周面より突出形成された突状プレート部を設けたクリップの取付け構造を提供する。
【０００８】
請求項４に係る発明は、請求項３のクリップの取付け構造において、該軸体支持部を該挟着用軸体の軸方向端面に設け、該軸体支持部が挟着用軸体の断面形状よりも拡径に突出して形成され、且つ、該挟着用軸体にクリップを挟着した状態で該挟着片の側面に対向する面を該挟着片の側面に平行に形成されたクリップの取付け構造を提供する。
【０００９】
請求項５に係る発明は、先端に開口部を有する挟着片と該挟着片の基部に挟着片支持部を有し、且つ該挟着片支持部の後端が一方の部材に一体又は接合可能に設けられたクリップと、該クリップの挟着片によって挟着される挟着用軸体と該挟着用軸体の周面を中空に浮かせ保持するように該挟着用軸体を支持する軸体支持部からなる他方の部材の取付部より構成され、該開口部を該挟着用軸体に押圧して該挟着用軸体を該挟着片に挟着するクリップの取付け構造であって、該開口部の両側に位置する一方の挟着片と他方の挟着片の剛性が異なるように両方の挟着片の形状を異ならせて形成したクリップの取付け構造を提供する。
【００１０】
請求項６に係る発明は、請求項５のクリップの取付け構造において、該軸体支持部を該挟着用軸体の軸方向端面に設け、該軸体支持部が挟着用軸体の断面形状よりも拡径に突出して形成され、且つ、該挟着用軸体にクリップを挟着した状態で該挟着片の側面に対向する面を該挟着片の側面に平行に形成されたクリップの取付け構造を提供する。
【発明の効果】
【００１１】
請求項１のクリップの取付け構造においては、該軸体支持部を該挟着用軸体の軸方向端面に設け、該軸体支持部が挟着用軸体の断面形状よりも拡径に突出して形成され、且つ、該挟着用軸体にクリップを挟着した状態で該挟着片の側面に対向する面を該挟着片の両側面に平行に形成しており、該挟着片の開口部を該挟着用軸体へ押圧する際に、両端の該軸体支持部によって該挟着用軸体の軸方向へのずれが抑制されるので、この軸方向へのずれを気にすることなく押圧による取付けを実施することが可能となる。したがって、取付けが容易で取付け作業性が良いものとすることができる。
また、取付け後も、該軸体支持部によって、クリップに生じた外力による軸方向へのずれや脱落を防止することができ、長期にわたって取付け固定の保持が確実で取付け強度も高いものとなる。
特に、該挟着片の側面と軸体支持部との間隔を０．１〜０．２ｍｍ程度とするのが望ましく、この間隔が、０．１ｍｍより小さくなると、取付け時に該挟着片の両側面と該軸体支持部との接触抵抗が生じ易くなり、また、０．２ｍｍより大きくなると、取付け時および取付け後のがたつきが生じ易くなる。
【００１２】
請求項２のクリップの取付け構造においては、請求項１で用いる該挟着片の側面の平行部であって、該挟着片の先端が基本形状に閉塞した状態で該開口部より内方に向うにつれ閉塞する位置へ、該軸体支持部に接するＲ状の突起部を設けており、このＲ状の突起部の位置は、軸体支持部の両側面が挟着され始める際、案内になる位置がもっとも好ましい位置となる。このため、該挟着片の開口部を該挟着用軸体へ押圧する際に、開口部が弾性変形によりさらに拡大し開口後、その反力により該挟着用軸体の周面に沿って縮小し復元し始めてから、該軸体支持部にＲ状突起部が案内として働き、軸方向へのズレを防止しながら摺接し始めるので、該挟着用軸体の軸方向の位置決めが自動的になされ、該挟着片の弾性変形の反力による挟着効果が得られるので、位置ずれを気にすることなく挟着がスムーズになされる。したがって、請求項１と同様な効果が得られ、更に一層取付けが容易で取付け作業性の良いものとなる。
また、取付け後も、該クリップの両側面でＲ状突起部が軸体支持部に接触した状態となるので、該クリップに生じる外力による該クリップの倒れ防止効果を発揮するものとなり、請求項１と同様な効果が得られ、更に一層長期にわたる取付け固定の保持が確実で取付け強度も高いものとなる。
【００１３】
請求項３のクリップの取付け構造においては、該挟着片の先端より内方に延びる溝部を該挟着片に設け、該挟着用軸体にクリップを挟着した状態で該挟着片の該溝部に係合し、且つ、該挟着用軸体の周面より突出形成された突状プレート部を設けたので、該挟着片の開口部を該挟着用軸体へ押圧する際に、該溝部と該溝部に係合された該突状プレートによって挟着用軸体の軸方向のずれが抑制されるとともに、該挟着用軸体の周面に沿った回転方向へのずれも抑制される。また、倒れ防止のためには該挟着片の幅を大きくする必要があり、幅を大きくすると取付け時の押圧力を大きくする必要があるが、２分割することでこの取付け時の押圧力を大きくする必要がなく、倒れ防止効果も得られる。したがって、これらの位置ずれや倒れを気にすることなく適切な押圧力による取付けを実施することができるので、取付けが容易で取付け作業性のよいものとなる。
また、取付け後も同様な抑制効果があるので、長期にわたる取付け固定の保持が確実で取付け強度も高いものとなる。
さらに、該軸体支持部を該挟着用軸体の両端部に配置し、且つ突状プレートを該挟着用軸体の中間部に配置し他方の部材に連接するように設けた場合には、取付け時の該挟着片の開口部の該挟着用軸体への押圧による該挟着用軸体の撓みが生じにくくなるので、押圧力を効率良く挟着のために使用でき、さらに一段と取付けが容易で取付け作業性が良いものとなる。  
【００１４】
また、請求項４のように請求項３のクリップ取付け構造において、さらに該軸体支持部を該挟着用軸体の軸方向端面に設け、該軸体支持部が挟着用軸体の断面形状よりも拡径に突出して形成され、且つ、該挟着用軸体にクリップを挟着した状態で該挟着片の側面に対向する面を該挟着片の側面に平行に形成されると、請求項３と同様な効果が得られ、更に一層取付けが容易で取付け作業性の良く、且つ長期にわたる取付け固定の保持が確実で取付け強度も高いものとなる。
【００１５】
請求項５のクリップの取付け構造においては、該開口部の両側に位置する一方の挟着片と他方の挟着片の剛性が異なるように両方の挟着片の形状を異ならせて形成したので、該挟着片の開口部を該挟着用軸体へ押圧する際に、剛性の高い側の挟着片は変形せず、剛性の低い側の挟着片のみが弾性変形するため、常に剛性の高い側の挟着片を基準にし、剛性の低い側の挟着片のみを弾性変形して挟着がなされるようになる。したがって、常に一定の安定した挟着がなされるので、取付けが容易で取付け作業性の良いものとなる。
なお、一方の挟着片と他方の挟着片の剛性を異ならせるには、一方の挟着片の先端部から一方の挟着片との接点である挟着片支持部の一方の端部までの長さと他方の挟着片の先端部から他方の挟着片との接点である挟着片支持部の他方の端部までの長さを異ならせる、すなわち、挟着片開口部中心と挟着時の挟着用軸体の中心に相当する挟着片の中心点を結ぶ直線に対して、挟着時の挟着用軸体の中心に相当する挟着片の中心点と一方の挟着片との接点である挟着片支持部の一方の端部および他方の挟着片との接点である挟着片支持部の他方の端部を結ぶ直線が平行ないしは同方向に傾斜するように設けたり、また一方の挟着片および他方の挟着片の厚さを異ならせることによって容易に可能である。
【００１６】
また、請求項６のように、請求項５のクリップ取付け構造において、さらに該軸体支持部を該挟着用軸体の軸方向端面に設け、該軸体支持部が挟着用軸体の断面形状よりも拡径に突出して形成され、且つ、該挟着用軸体にクリップを挟着した状態で該挟着片の側面に対向する面を該挟着片の側面に平行に形成されると、請求項３と同様な効果が得られ、更に一層取付けが容易で取付け作業性の良く、且つ長期にわたる取付け固定の保持が確実で取付け強度も高いものとなる。
【発明を実施するための最良の形態】
【００１７】
本発明によるクリップの取付け構造の最良の形態として、限られた取付けスペースや過酷な環境に置かれている自動車部品の取付けに用いられるクリップの取付け構造の一つであって、例えば、オイルレベルゲージガイドに接合されるクリップとインレットウォーターに設けられた取付け部からなり、該クリップを該取付け部に押圧して取付けるクリップの取付け構造を例にとって、以下に図面に基づいて説明する。なお、本実施例では、自動車部品の取り付けに用いられるクリップについて、一例として説明するが、本発明によるクリップの取付け構造としては、これに限るものではなく、２つの部材の取付けに用いられるクリップの取付け構造全般に適用可能なものである。
【実施例１】
【００１８】
図１乃至図５は、本発明のクリップの取付け構造の一実施形態を例示したものであり、図１は、側面図、図２は、クリップ部の拡大分解側面図、図３は、クリップおよび取付け部の拡大上面図、図４は、一実施形態における第三の変形例を示したクリップおよび取付け部の拡大上面図、図５は、クリップの拡大側面図である。このうち、図３（A）は、一実施形態を示したクリップおよび取付け部の拡大上面図、図３（Ｂ）は、一実施形態における第一の変形例を示したクリップおよび取付け部の拡大上面図、図３（Ｃ）は、一実施形態における第ニの変形例を示したクリップおよび取付け部の拡大上面図、また、図５（A）は、一実施形態を示したクリップの拡大側面図、図５（Ｂ）は、一実施形態における第四の変形例を示したクリップの拡大側面図である。
【００１９】
図１に示したように、本発明のクリップの取付け構造は、金属製の管体よりなるオイルレベルゲージガイド１に対して、その下端であるＯリング９を固定したオイルレベルゲージガイド一端１ａをオイルパン７に通ずるエンジン本体３の連通孔８に挿入して保持し、上部側をクリップ４を介してエンジン本体３に付随する部材であるインレットウォーター２に設けた取付け部５に挟着して取付けた構造であり、とくに、一方の部材であるオイルレベルゲージガイド１に接合可能に設けられたクリップ４と他方の部材であるインレットウォーター２に設けられた該取付け部５からなり、該クリップ４を押圧して該取付け部５に取付け固定した構造である。なお、ここでは、連通孔８はエンジン本体３に設けられているが、直接オイルパン７に設けた場合でもよい。オイルレベルゲージガイド１は、金属材のもの以外にも、樹脂材などでもよく、所望の強度と形状保持性をもつものであればその他の材質のものでもかまわない。また、クリップ４は、樹脂材などの粘弾性を有する材質が望ましい。クリップ４を保持するエンジン本体３に付随する部材として、本実施形態においてはインレットウォーター２を使用したものとなっているが、アウトレットウォーター，シリンダヘッドカバー，サージタンク，インテークマニホールド，エキゾーストマニホールドなどでも良い。また、取付け部の形成が容易となる点より、樹脂材であるのが好ましい。なお、クリップ４は、前記した材質に限定するものではなく、エンジン本体３に付随する部材についても前記したものに限定されるものではない。
【００２０】
次に該クリップ４を押圧してインレットウォーター２に設けられた該取付け部５に取付け固定した構造の詳細について説明する。図１、図２および図３（A）に示すように、クリップ４は、先端に開口部４ａ１を有する挟着片４ａ（一方の挟着片４ａ２，他方の挟着片４ａ３）と該挟着片４ａ（一方の挟着片４ａ２，他方の挟着片４ａ３）の基部に挟着片支持部４ｂとさらに該挟着片支持部４ｂに一方の部材であるオイルレベルゲージガイド１に接合可能とするクリップ他端４ｃを有している。該クリップ他端４ｃは、オイルレベルゲージガイド１を挟着する挟着片４ｄを有しており、該オイルレベルゲージガイド１に突状に設けられた上側ストッパー６ａと下側ストッパー６ｂとの間に挟着して固定する。これに対し、他方の部材であるインレットウォーター２には、該クリップ４の挟着片４ａの開口部４ａ１を押圧して挟着するための取付け部５が設けられている。該取付け部５は、該クリップ４の挟着片４ａ（一方の挟着片４ａ２，他方の挟着片４ａ３）によって挟着される円柱状の挟着用軸体５ａと該挟着片４ａ（一方の挟着片４ａ２，他方の挟着片４ａ３）を挟着するために該挟着用軸体５ａの周面を中空（宙空）に保持するように該挟着用軸体５ａの両端を支持するように設けられた軸体支持部５ｂ（一端側軸体支持部５ｂ１，他端側軸体支持部５ｂ２）とからなる。挟着片４（４ｂ）の挟着される部分の幅は、両端に設けられた軸体支持部５ｂの内面間の幅に対し、装着を容易にするため０．１〜０．２ｍｍ程度小さくしており、また、挟着片４（４ｂ）の先端部は傾斜してさらに小さな幅となっている。なお、挟着片４（４ｂ）の先端部に傾斜を設けない形状としても良いが、先端部に傾斜を設ける場合には、その傾斜角度は、１°〜４５°とするのが望ましい。
【００２１】
また、該軸体支持部５ｂ（一端側軸体支持部５ｂ１，他端側軸体支持部５ｂ２）は、該挟着用軸体５ａの円形の断面形状よりも拡径に突出して成形され、且つ該挟着用軸体５ａに該挟着片４ａ（一方の挟着片４ａ２，他方の挟着片４ａ３）を挟着した状態で、挟着片４ａ（一方の挟着片４ａ２，他方の挟着片４ａ３）の両側面のそれぞれに対向する該軸体支持部５ｂ（一端側軸体支持部５ｂ１，他端側軸体支持部５ｂ２）の部分が平行で、挟着片４ａ（一方の挟着片４ａ２，他方の挟着片４ａ３）の両側面を覆い隠すように形成されている。
【００２２】
さらに、該挟着片４ａ（一方の挟着片４ａ２，他方の挟着片４ａ３）には、先端の挟着片４ａの開口部４ａ１より内方へ延びる一方の挟着片４ａ２の溝部４ａ４１と他方の挟着片４ａ３の溝部（図示されていない）が一方の挟着片４ａ２および他方の挟着片４ａ３のそれぞれに設けられており、該挟着用軸体５ａに挟着片４ａ（一方の挟着片４ａ２，他方の挟着片４ａ３）を挟着した状態で該それぞれの挟着片４ａ２，４ａ３の溝部４ａ４（一方の挟着片の溝部４ａ４１，他方の挟着片の溝部）に系合され、且つ該挟着用軸体５ａの周面より突出し、他方の部材であるインレットウォーター２に一体となるように延びて形成された突状プレート１１が設けられている。
【００２３】
一方、該クリップ４の該挟着片４ａ（一方の挟着片４ａ２，他方の挟着片４ａ３）の形状については、図５（A）に詳細に示されているように、該挟着片４ａ（一方の挟着片４ａ２，他方の挟着片４ａ３）が該挟着用軸体５ａに挟着された状態における該挟着用軸体５ａの円形の断面の中心点Xと挟着片４ａの開口部４ａ１の開口中間点Yとを結ぶZ軸に対して対象で、且つ一方の挟着片４ａ２と他方の挟着片４ａ３それぞれの側面の平行部であって、該挟着片４ａ２，４ａ３の先端が基本形状に閉塞した状態で該挟着片４ａ２，４ａ３の開口部４ａ１から内方に向うにつれ閉塞される位置へ、一端側軸体支持部５ｂ１に接する一端側上部のＲ状突起部１０ａと一端側下部のＲ状突起部１０ｂおよび他端側軸体支持部５ｂ２に接する他端側上部のＲ状突起部１０ｃと他端側下部のＲ状突起部（図示されていない）が設けられている。
【００２４】
さらに、一方の挟着片４ａ２と他方の挟着片４ａ３は剛性が異なるように形成されており、一方の挟着片４ａ２の先端部から一方の挟着片４ａ２との接点である挟着片支持部の一方の端部４ｂ１までの長さが他方の挟着片４ａ３の先端部から他方の挟着片４ａ３との接点である挟着片支持部の他方の端部４ｂ２までよりも長く、長さが異なった形状となっている。すなわち、これは、挟着片支持部４ｂが、挟着片の開口部４（４ａ１）の開口中心点Ｙと挟着時の挟着用軸体の中心点Xに相当する挟着片の中心点とを結ぶZ軸に対して、挟着時の挟着用軸体の中心点Xに相当する挟着片の中心点と一方の挟着片４ａ２との接点である挟着片支持部の一方の端部４ｂ１および他方の挟着片４ａ３との接点である挟着片支持部の他方の端部４ｂ２を結ぶ直線が平行ないしは同一方向に傾斜し、一方の挟着片４ａ２との接点である挟着片支持部の一方の端部４ｂ２の傾斜角θ１が０°以上で、他方の挟着片４ａ３との接点である挟着片支持部の他方の端部４ｂ２の傾斜角θ２が３０°以上で、θ１＜θ２となるように設けられた形状となっている。
【００２５】
次に本発明によるクリップの取付け構造における取付け手順について以下に示す。クリップ４の挟着片４ａの開口部４ａ１をインレットウォーター２に設けられた取付け部５の挟着用軸体５ａに接触させ、押圧する。押圧により、該挟着片４ａの開口部４ａ１は該挟着用軸体５ａの周面に沿い、且つ挟着片４ａの溝部４ａ４（一方の挟着片の溝部４ａ４１，他方の挟着片の溝部）は突状プレート１１に沿って、該挟着片４ａの開口部４ａ１をさらに拡径するように挟着片４ａ（一方の挟着片４ａ２，他方の挟着片４ａ３）が弾性変形して挟着が開始される。このとき、他方の挟着片４ａ３に比べて長く形成された一方の挟着片４ａ２は、その剛性が該他方の挟着片４ａ３よりも低いため、該他方の挟着片４ａ３を基準にして該一方の挟着片４ａ２のみが弾性変形して該挟着片４ａの開口部４ａ１が拡大しさらに開口される。また、該挟着片４ａ（一方の挟着片４ａ２，他方の挟着片４ａ３）の両側面は、一端側軸体支持部５ｂ１，他端側軸体支持部５ｂ２に対して所望の余裕度を有しており、挟着用軸体５ａの軸方向への該クリップ４のずれが所望の値以上とならないように、一端側軸体支持部５ｂ１，他端側軸体支持部５ｂ２によって抑制されながら、挟着が開始される。
【００２６】
このようにして挟着が開始され、さらにそのまま押圧が進み該挟着片４ａの開口部４ａ１が該挟着用軸体５ａの中心点を超えると、該挟着片４ａの開口部４ａ１が縮小し復元しながら挟着がなされ、それまでの挟着片４ａ（一方の挟着片４ａ２，他方の挟着片４ａ３）の弾性変形によって生じる復元力も作用して挟着がなされる。この際、Ｒ状突起部１０（一端側上部のＲ状突起部１０ａ，一端側下部のＲ状突起部１０ｂ，他端上部のＲ状突起部１０ｃ，他端下部のＲ状突起部（図示されていない））が、該挟着片４ａ（一方の挟着片４ａ２，他方の挟着片４ａ３）の側面の平行部であって、該挟着片４ａ２，４ａ３の先端が基本形状に閉塞した状態で該挟着片４ａの開口部４ａ１から内方に向うにつれ閉塞する位置となる該挟着片４ａ（一方の挟着片４ａ２，他方の挟着片４ａ３）が該挟着用軸体５ａに挟着された状態における該挟着用軸体５ａの円形の断面の中心点Xより内方に設けられているので、この該挟着片４ａの開口部４ａ１が縮小し復元がなされるときに始めて、該挟着片４ａ（一方の挟着片４ａ２，他方の挟着片４ａ３）の両側面に設けたＲ状突起部１０（一端側上部のＲ状突起部１０ａ，一端側下部のＲ状突起部１０ｂ，他端上部のＲ状突起部１０ｃ，他端下部のＲ状突起部）は、それぞれ対向している軸体支持部５ｂ（一端側軸体支持部５ｂ１，他端側軸体支持部５ｂ２）と摺接することとなり、この後の挟着においては、挟着用軸体５ａの軸方向に対して位置決めされた状態で押圧方向に摺接しながら挟着がなされることとなる。
【００２７】
以上のように構成された本発明のクリップの取付け構造は、該軸体支持部５ｂ（一端側軸体支持部５ｂ１，他端側軸体支持部５ｂ２）を該挟着用軸体５ａの軸方向の端面に設け、該軸体支持部５ｂ（一端側軸体支持部５ｂ１，他端側軸体支持部５ｂ２）が該挟着用軸体５ａの断面形状よりも拡径に突出して形成され、且つ、該挟着用軸体５ａにクリップ４を挟着した状態で該挟着片４ａ（一方の挟着片４ａ２，他方の挟着片４ａ３）の両側面それぞれに対向する面を該挟着片４ａ（一方の挟着片４ａ２，他方の挟着片４ａ３）の側面に平行に形成したので、該挟着片４ａの開口部４ａ１を該挟着用軸体５ａへ押圧する際に、該軸体支持部５ｂ（一端側軸体支持部５ｂ１，他端側軸体支持部５ｂ２）によって該挟着用軸体５ａの軸方向への該クリップ４のずれが抑制されるので、この軸方向へのずれを気にすることなく押圧による取付けを実施することが可能となる。したがって、取付けが容易で取付け作業性が良いものとすることができる。
また、取付け後も、該軸体支持部５ｂ（一端側軸体支持部５ｂ１，他端側軸体支持部５ｂ２）によって、クリップ４に生じた外力による該挟着用軸体５ａの軸方向へのずれや脱落を防止することができ、長期にわたって取付け固定の保持が確実で取付け強度の高いものとなる。
なお、実施例１では、該挟着片４ａの側面に該Ｒ状突起部１０（一端側上部のＲ状突起部１０ａ，一端側下部のＲ状突起部１０ｂ，他端上部のＲ状突起部１０ｃ，他端下部のＲ状突起部）を設けた形状であったので、該挟着片４ａ（一方の挟着片４ａ２，他方の挟着片４ａ３）の側面と該軸体支持部５ｂ（一端側軸体支持部５ｂ１，他端側軸体支持部５ｂ２）との余裕度をその分設ける必要があったが、該Ｒ状突起部１０（一端側上部のＲ状突起部１０ａ，一端側下部のＲ状突起部１０ｂ，他端上部のＲ状突起部１０ｃ，他端下部のＲ状突起部）がない場合には、この余裕度を小さくすることで、クリップ４に加わる外力による倒れがより生じにくく、長期にわたって取付け固定の保持がより確実で取付け強度がより高いものとすることが可能である。
【００２８】
さらに、これに加えて、該挟着片４ａ（一方の挟着片４ａ２，他方の挟着片４ａ３）の側面の平行部であって、該挟着片４ａ２，４ａ３の先端が基本形状に閉塞した状態で該挟着片４ａの開口部４ａ１より内方に向うにつれ閉塞する位置へ、該軸体支持部５ｂ（一端側軸体支持部５ｂ１，他端側軸体支持部５ｂ２）に接するＲ状突起部１０（一端側上部のＲ状突起部１０ａ，一端側下部のＲ状突起部１０ｂ，他端上部のＲ状突起部１０ｃ，他端下部のＲ状突起部）を設けたので、該挟着片４ａの開口部４ａ１を該挟着用軸体５ａへ押圧する際に、該挟着片４ａの開口部４ａ１が弾性変形によりさらに拡大し開口後、その反力により該挟着用軸体５ａの周面に沿って縮小し復元し始めてから、該軸体支持部５ｂ（一端側軸体支持部５ｂ１，他端側軸体支持部５ｂ２）にＲ状突起部１０（一端側上部のＲ状突起部１０ａ，一端側下部のＲ状突起部１０ｂ，他端上部のＲ状突起部１０ｃ，他端下部のＲ状突起部）が摺接し始めるので、該挟着用軸体５ａの軸方向への位置決めが自動的になされながら、該挟着片４（一方の挟着片４ａ２，他方の挟着片４ａ３）の弾性変形の反力による挟着効果が得られるので、位置ずれを気にすることなく挟着がスムーズになされる。したがって、より一層取付けが容易で取付け作業性の良いものとなっている。このときの該挟着片４ａ（一方の挟着片４ａ２，他方の挟着片４ａ３）の側面と該軸体支持部５ｂ（一端側軸体支持部５ｂ１，他端側軸体支持部５ｂ２）との間隔ｄと、Ｒ状突起部の高さｈについては、該挟着片４ａ（一方の挟着片４ａ２，他方の挟着片４ａ３）の側面と軸体支持部５ｂ（一端側軸体支持部５ｂ１，他端側軸体支持部５ｂ２）との間隔が小さいと挟着時の押圧がスムーズになされなく、また該挟着片４ａ（一方の挟着片４ａ２，他方の挟着片４ａ３）の側面と軸体支持部５ｂ（一端側軸体支持部５ｂ１，他端側軸体支持部５ｂ２）との間隔ｄが大きくなると挟着時および挟着後のクリップ４の倒れ、脱落に対する効果が薄れるので、０．１〜０．２ｍｍの間隔とするのがより好ましく、Ｒ状突起の高さｈについては、高さが低いと位置決め効果が薄れ、高いと挟着がスムーズになされなくなるので、０．１〜０．５ｍｍの締め代とするのが好ましく、〔ｄ＋０．１〕ｍｍの高さとするのがより好ましい。
また、取付け後も、該クリップ４の該挟着片４ａ（一方の挟着片４ａ２，他方の挟着片４ａ３）の両側面でＲ状突起部１０（一端側上部のＲ状突起部１０ａ，一端側下部のＲ状突起部１０ｂ，他端上部のＲ状突起部１０ｃ，他端下部のＲ状突起部）が該軸体支持部５ｂに接触した状態となるので、該クリップ４に生じる外力による該クリップ４の倒れ防止効果を発揮するものとなり、より一層長期にわたる取付け固定の保持が確実で取付け強度が高いものとなっている。
該挟着片４ａ（一方の挟着片４ａ２，他方の挟着片４ａ３）が該挟着用軸体５ａに挟着された状態における該挟着用軸体５ａの円形の断面の中心点Xと挟着片４ａの開口部４ａ１の開口中間点Yとを結ぶZ軸に対して対象となる位置に該Ｒ状突起部１０（一端側上部のＲ状突起部１０ａ，一端側下部のＲ状突起部１０ｂ，他端上部のＲ状突起部１０ｃ，他端下部のＲ状突起部）が設けられているので、取付け時および取付け後の安定性がよく、この点からも取付けが容易で取付け作業性の良いものとなっている。なお、この観点から、図５（A）に点線で示したZ軸上の位置に一端側Z軸上のＲ状突起部１０ｅ，他端側Z軸上のＲ状突起部（図示していない）を設けてもよい。
【００２９】
該挟着片４ａ（一方の挟着片４ａ２，他方の挟着片４ａ３）の先端より内方に延びる挟着片４ａの溝部４ａ４（一方の挟着片の溝部４ａ４１，他方の挟着片の溝部）を該挟着片４ａ（一方の挟着片４ａ１，他方の挟着片４ａ２）に設け、該挟着用軸体５ａにクリップ４を挟着した状態で該挟着片４ａの溝部４ａ４（一方の挟着片の溝部４ａ４１，他方の挟着片の溝部）に係合し、且つ、該挟着用軸体５ａの周面より突出して形成された突状プレート１１を設けたので、該挟着片４ａの開口部４ａ１を該挟着用軸体５ａへ押圧する際に、該挟着片４ａの溝部４ａ４（一方の挟着片の溝部４ａ４１，他方の挟着片の溝部）と該挟着片４ａの溝部４ａ４（一方の挟着片の溝部４ａ４１，他方の挟着片の溝部）に係合された該突状プレート１１によって該挟着用軸体５ａの軸方向への該クリップ４のずれが抑制されるとともに、該挟着用軸体５ａの周面に沿った回転方向への該クリップ４のずれも抑制される。したがって、これら両方の位置ずれを気にすることなく押圧による取付けを実施することができるので、取付けが容易で取付け作業性のよいものとなっている。
また、取付け後も同様な抑制効果があるので、長期にわたる取付け固定の保持が確実で取付け強度が高いものとなっている。
さらに、該軸体支持部５ｂ（一端側軸体支持部５ｂ１，他端側軸体支持部５ｂ２）を該挟着用軸体５ａの両端部に配置し、且つ突状プレート１１を該挟着用軸体５ａの中間部に配置しインレットウォーター２に連接するように設けているので、取付け時の該挟着片４ａの開口部４ａ１の該挟着用軸体５ａへの押圧による該挟着用軸体５ａの撓みが生じにくくなるので、押圧力を効率良く挟着のために使用でき、さらに一段と取付けが容易で取付け作業性が良いものとなっている。
突状プレート１１の形状については、図３（Ｂ）に示すような該挟着用軸体５ａの中間部に配置しインレットウォーター２に連接しないような形状であってもよい。また、図３（C）に示すような突状プレート１１を挟着用軸体５ａを支持する軸体支持部５ｂ（一端側軸体支持部５ｂ１，他端側軸体支持部５ｂ２）を兼ねるような強度を有し、該挟着用軸体５ａの中間部に配置しインレットウォーター２に連接するように形成し、該軸体支持部５ｂ（一端側軸体支持部５ｂ１，他端側軸体支持部５ｂ２）を専用に有しないように形成してもよい。これら形状についても、上記したような取付けが容易で取付け作業性がよく、長期にわたる取付け固定の保持が確実で取付け強度が高い効果を奏するものとすることができる。
【００３０】
該挟着片４ａの開口部４ａ１の両側に位置する一方の挟着片４ａ２と他方の挟着片４ａ３の剛性が異なるように、他方の挟着片４ａ３の先端部から他方の挟着片４ａ３との接点である挟着片支持部の他方の端部４ｂ１までの長さよりも一方の挟着片４ａ２の先端部から一方の挟着片４ａ２との接点である挟着片支持部の一方の端部４ｂ１までの長さを長くして挟着片４ａ（一方の挟着片４ａ２，他方の挟着片４ａ３）の形状を異ならせて形成、すなわち、これは、挟着片支持部４ｂを、挟着片の開口部４（４ａ１）の開口中心点Ｙと挟着時の挟着用軸体の中心点Xに相当する挟着片の中心点とを結ぶZ軸に対して、挟着時の挟着用軸体の中心点Xに相当する挟着片の中心点と一方の挟着片４ａ２との接点である挟着片支持部の一方の端部４ｂ１および他方の挟着片４ａ３との接点である挟着片支持部の他方の端部４ｂ２を結ぶ直線が平行ないしは同一方向に傾斜して設けたので、該挟着片４ａの開口部４ａ１を該挟着用軸体５ａへ押圧する際に、剛性の高い側の他方の挟着片４ａ３は変形せず、剛性の低い側の一方の挟着片４ａ２が弾性変形するため、常に剛性の高い側の他方の挟着片４ａ３を基準にし、剛性の低い側の一方の挟着片４ａ２のみを弾性変形して挟着がなされるようになる。したがって、常に一定の安定した挟着がなされるので、取付けが容易で取付け作業性の良いものとなっている。また、特に挟着片支持部の一方の端部４ｂ１の傾斜角θ１と挟着片支持部の他方の端部４ｂ２の傾斜角θ２がθ１＜θ２で、一方の挟着片４ａ２との接点である挟着片支持部の一方の端部４ｂ１の傾斜角θ１が０°以上で、他方の挟着片４ａ３との接点である挟着片支持部の他方の端部４ｂ２の傾斜角θ２が３０°以上となるように挟着片支持部４ｂを設けるのが好ましい形状であり、挟着片支持部の一方の端部４ｂ１の傾斜角θ１を０°よりも大きくすることで、取付け時の押圧により一方の挟着片４ａ２が変形して開き、他方の挟着片４ａ３は変形せず開かない状態とすることが可能となり、挟着片支持部の他方の端部４ｂ２の傾斜角θ２が３０°よりも大きな傾斜角に配置されると、他方の挟着片４ａ３の根本部に押圧時の応力が集中し破断が生じ易くなる。
該挟着片４ａ（一方の挟着片４ａ２，他方の挟着片４ａ３）の形状については、図５（Ｂ）に示すような他方の挟着片４ａ３よりも一方の挟着片４ａ２の厚さを薄く形成したものでもよい。このように、厚さを変えることで、剛性を異ならせても、前記のような常に一定の安定した挟着がなされ、取付けが容易で取付け作業性の良いものとすることが可能である。特に、一方の挟着片４ａ２の厚さＴ１と他方の挟着片４ａ３の厚さT２としたときの厚さ比Ｔ１／T２＝０．４〜０．７とするのが好ましく、０．４よりも小さくなると、剛性の低い一方の挟着片４ａ２への取付け時の押圧力が集中し破断を生じ易くなり、逆に、０．７よりも大きくなると、剛性の低い一方の挟着片４ａ２の取り付け時の押圧による変形が生じにくく、大きな押圧力が必要となる。
【００３１】
該取付け部５の形状として、これまでは他方の部材であるインレットウォーター２より突出して形成されたものを示してきたが、図４に示すようなインレットウォーター２に取付け溝１２を設け、該取付け溝１２の側壁を軸体支持部５ｂ（一端側軸体支持部５ｂ１，他端側軸体支持部５ｂ２）とし、該取付け溝１２内に挟着用軸体５ａ、突状プレート１１を設けた形状としてもよい。このように形成した場合でも、前記してきたような同様な効果をもつものが実現可能である。
【産業上の利用可能性】
【００３２】
以上詳しく説明した通り、本発明によって、取付けが容易で取付け作業性もよく、また、長期にわたり取付け固定の保持が確実で取付け強度が高いクリップの取付け構造を提供することができる。
【図面の簡単な説明】
【００３３】
【図１】本発明のクリップの取付け構造の一実施形態を示した側面図（実施例１）
【図２】本発明のクリップの取付け構造の一実施形態を示したクリップ部の拡大分解側面図（実施例１）
【図３】本発明のクリップの取付け構造の一実施形態および第一、第二変形例を示したクリップおよび取付け部の拡大上面図（実施例１）
【図４】本発明のクリップの取付け構造の一実施形態における第三の変形例を示したクリップおよび取付け部の拡大上面図（実施例１）
【図５】本発明のクリップの取付け構造の一実施形態および第四の変形例を示したクリップの拡大側面図（実施例１）
【図６】従来のクリップの取付け構造を示した拡大分解斜視図（従来例１）
【符号の説明】
【００３４】
１    オイルレベルゲージガイド
１ａ    オイルレベルゲージガイド一端
２    インレットウォーター
３    エンジン本体
４    クリップ
４ａ    挟着片
４ａ１  開口部
４ａ２  一方の挟着片
４ａ３  他方の挟着片
４ａ４  溝部
４ａ４１    一方の挟着片の溝部
４ｂ    挟着片支持部
４ｂ１  挟着片支持部の一方の端部
４ｂ２  挟着片支持部の他方の端部
４ｃ    クリップ他端
４ｄ    挟着片
５    取付け部
５ａ  挟着用軸体
５ｂ  軸体支持部
５ｂ１  一端側軸体支持部
５ｂ２  他端側軸体支持部
６    ストッパー
６ａ    上側ストッパー
６ｂ    下側ストッパー
７    オイルパン
８    連通孔
９    Oリング
１０  Ｒ状突起部
１０ａ  一端側上部のＲ状突起部
１０ｂ  一端側下部のＲ状突起部
１０ｃ  他端側上部のＲ状突起部
１０ｅ  一端側Ｚ軸上のＲ状突起部
１１    突状プレート
１２    取付け溝
【図１】
2006009977.tif 000003
【図２】
2006009977.tif 000004
【図３】
2006009977.tif 000005
【図４】
2006009977.tif 000006
【図５】
2006009977.tif 000007
【図６】
2006009977.tif 000008